【手続補正書】
【提出日】平成20年7月2日(2008.7.2)
【手続補正１】
【補正対象書類名】明細書
【補正対象項目名】特許請求の範囲
【補正方法】変更
【補正の内容】
【特許請求の範囲】
【請求項１】
互いに分離した第１および第２の波長領域の光を分離もしくは合成する色分離合成素子であって、
入射される直線偏光状態の光における第１の波長帯域の光のみの偏光面を９０度旋回させて透過させ、第２の波長帯域の光は偏光状態を保って透過させる色選択性リターダと、
色分離のときは上記色選択性リターダを透過した光を入射されて上記第１および第２の波長帯域の光の光路を分離し、色合成のときには偏光方向を直交させた状態で合成された第１および第２の波長帯域の光を上記色選択性リターダに向って射出して上記色選択性リターダを透過させる偏光ビームスプリッタとを有し、
上記偏光ビームスプリッタにおける、第１の波長帯域のＰ偏光透過率をＴｐ１、Ｓ偏光透過率をＴｓ１とするとき、Ｔｓ１＞１−Ｔｐ１であり、
色分離のときはＳ偏光が上記色選択性リターダに入射され、色合成のときは、第１および第２の波長帯域の光をＳ偏光として合成することを特徴とする色分離合成素子。
【請求項２】
互いに分離した第１および第２の波長領域の光を分離もしくは合成する色分離合成素子であって、
入射される直線偏光状態の光における第１の波長帯域の光のみの偏光面を９０度旋回させて透過させ、第２の波長帯域の光は偏光状態を保って透過させる色選択性リターダと、
色分離のときは上記色選択性リターダを透過した光を入射されて上記第１および第２の波長帯域の光の光路を分離し、色合成のときには偏光方向を直交させた状態で合成された第１および第２の波長帯域の光を上記色選択性リターダに向って射出して上記色選択性リターダを透過させる偏光ビームスプリッタとを有し、
上記偏光ビームスプリッタにおける、第２の波長帯域のＰ偏光透過率をＴｐ２、Ｓ偏光透過率をＴｓ２とするとき、Ｔｓ２＜１−Ｔｐ２であり、
色分離のときはＳ偏光が上記色選択性リターダに入射され、色合成のときは、第１および第２の波長帯域の光をＳ偏光として合成することを特徴とする色分離合成素子。
【請求項３】
請求項１記載の色分離合成素子において、
偏光ビームスプリッタにおける、第２の波長帯域のＰ偏光透過率をＴｐ２、Ｓ偏光透過率をＴｓ２とするとき、Ｔｓ２＜１−Ｔｐ２であることを特徴とする色分離合成素子。
【請求項４】
互いに分離した第１および第２の波長帯域の光を含む直線偏光状態の光を、上記第１の波長領域の光と第２の波長帯域の光とに分離する色分離方法であって、
請求項１または２または３記載の色分離合成素子を用い、
色分離すべき直線偏光状態の光を、Ｓ偏光として、色選択性リターダに入射させ、偏光ビームスプリッタによりＳ偏光の光とＰ偏光の光とに分離することを特徴とする色分離方法。
【請求項５】
直線偏光状態で第１の波長帯域の光と、直線偏光状態で第２の波長帯域の光とを色合成する方法であって、
請求項１または２または３記載の色分離合成素子を用い、
色合成すべき光のうち、第１の波長帯域の光をＰ偏光として偏光ビームスプリッタに入射させ、第２の波長帯域の光をＳ偏光として上記偏光ビームスプリッタに入射させることを特徴とする色合成方法。
【請求項６】
互いに分離した第１および第２の波長領域の光を分離もしくは合成する色分離合成素子であって、
入射される直線偏光状態の光における第１の波長帯域の光のみの偏光面を９０度旋回させて透過させ、第２の波長帯域の光は偏光状態を保って透過させる色選択性リターダと、
色分離のときは上記色選択性リターダを透過した光を入射されて上記第１および第２の波長帯域の光の光路を分離し、色合成のときには偏光方向を直交させた状態で合成された第１および第２の波長帯域の光を上記色選択性リターダに向って射出して上記色選択性リターダを透過させる偏光ビームスプリッタとを有し、
上記偏光ビームスプリッタにおける、第１の波長帯域のＰ偏光透過率をＴｐ１、Ｓ偏光透過率をＴｓ１とするとき、Ｔｓ１＜１−Ｔｐ１であり、
色分離のときはＰ偏光が上記色選択性リターダに入射され、色合成のときは、第１および第２の波長帯域の光をＰ偏光として合成することを特徴とする色分離合成素子。
【請求項７】
互いに分離した第１および第２の波長領域の光を分離もしくは合成する色分離合成素子であって、
入射される直線偏光状態の光における第１の波長帯域の光のみの偏光面を９０度旋回させて透過させ、第２の波長帯域の光は偏光状態を保って透過させる色選択性リターダと、
色分離のときは上記色選択性リターダを透過した光を入射されて上記第１および第２の波長帯域の光の光路を分離し、色合成のときには偏光方向を直交させた状態で合成された第１および第２の波長帯域の光を上記色選択性リターダに向って射出して上記色選択性リターダを透過させる偏光ビームスプリッタとを有し、
上記偏光ビームスプリッタにおける、第２の波長帯域のＰ偏光透過率をＴｐ２、Ｓ偏光透過率をＴｓ２とするとき、Ｔｓ２＞１−Ｔｐ２であり、
色分離のときはＰ偏光が上記色選択性リターダに入射され、色合成のときは、第１および第２の波長帯域の光をＰ偏光として合成することを特徴とする色分離合成素子。
【請求項８】
請求項６記載の色分離合成素子において、
偏光ビームスプリッタにおける、第２の波長帯域のＰ偏光透過率をＴｐ２、Ｓ偏光透過率をＴｓ２とするとき、Ｔｓ２＞１−Ｔｐ２であることを特徴とする色分離合成素子。
【請求項９】
互いに分離した第１および第２の波長帯域の光を含む直線偏光状態の光を、上記第１の波長領域の光と第２の波長帯域の光とに分離する色分離方法であって、
請求項６または７または８記載の色分離合成素子を用い、
色分離すべき直線偏光状態の光を、Ｐ偏光として、色選択性リターダに入射させ、偏光ビームスプリッタによりＳ偏光の光とＰ偏光の光とに分離することを特徴とする色分離方法。
【請求項１０】
直線偏光状態で第１の波長帯域の光と、直線偏光状態で第２の波長帯域の光とを色合成する方法であって、
請求項６または７または８記載の色分離合成素子を用い、色合成すべき光のうち、第１の波長帯域の光をＳ偏光として偏光ビームスプリッタに入射させ、第２の波長帯域の光をＰ偏光として上記偏光ビームスプリッタに入射させることを特徴とする色合成方法。
【請求項１１】
投影装置によりスクリーン等の表示媒体上に投影すべきカラー映像用のカラー映像光を合成するカラー映像光合成装置において、
カラー映像を構成する３原色をＡ、Ｂ、Ｃとするとき、偏光方向を変換する機能を有しＡ色映像を表示する反射型のライトバルブＬＡと、偏光方向を変換する機能を有しＢ色映像を表示する反射型のライトバルブＬＢと、偏光方向を変換する機能を有しＣ色映像を表示する反射型のライトバルブＬＣと、
直線偏光状態の白色光をＳ偏光状態で色選択性リターダに入射される色分離合成素子と、
ダイクロイック膜を用いる色分離合成手段とを有し、
上記色分離合成素子として請求項１または２または３記載のものを用い、第１の波長帯域を色：Ａを含む領域、第２の波長領域を色：ＢおよびＣを含む領域として、上記色分離合成素子により分離されたＡ色光をライトバルブＬＡでＡ色映像光とし、
上記色分離合成素子により分離されたＢ色光、Ｃ色光を上記色分離合成手段により別個に分離してそれぞれライトバルブＬＢ、ＬＣによりＢ色映像光およびＣ色映像光とし、
上記Ｂ色映像光およびＣ色映像光を上記色分離合成手段により合成した後、これらと上記Ａ色映像光とを、上記色分離合成素子の偏光ビームスプリッタにより合成して射出させるように構成されたことを特徴とするカラー映像光合成装置。
【請求項１２】
投影装置によりスクリーン等の表示媒体上に投影すべきカラー映像用のカラー映像光を合成するカラー映像光合成装置において、
カラー映像を構成する３原色をＡ、Ｂ、Ｃとするとき、偏光方向を変換する機能を有しＡ色映像を表示する反射型のライトバルブＬＡと、偏光方向を変換する機能を有しＢ色映像を表示する反射型のライトバルブＬＢと、偏光方向を変換する機能を有しＣ色映像を表示する反射型のライトバルブＬＣと、
直線偏光状態の白色光をＰ偏光状態で色選択性リターダに入射される色分離合成素子と、
ダイクロイック膜を用いる色分離合成手段とを有し、
上記色分離合成素子として請求項６または７または８記載のものを用い、第１の波長帯域を色：Ａを含む領域、第２の波長領域を色：ＢおよびＣを含む領域として、上記色分離合成素子により分離されたＡ色光をライトバルブＬＡでＡ色映像光とし、
上記色分離合成素子により分離されたＢ色光、Ｃ色光を上記色分離合成手段により別個に分離してそれぞれライトバルブＬＢ、ＬＣによりＢ色映像光およびＣ色映像光とし、
上記Ｂ色映像光およびＣ色映像光を上記色分離合成手段により合成した後、これらと上記Ａ色映像光とを、上記色分離合成素子の偏光ビームスプリッタにより合成して射出させるように構成されたことを特徴とするカラー映像光合成装置。
【請求項１３】
請求項１１または１２記載のカラー映像光合成装置において、
ダイクロイック膜を用いる色分離合成手段が、ダイクロイック膜を有するプリズムであることを特徴とするカラー映像光合成装置。
【請求項１４】
投影装置によりスクリーン等の表示媒体上に投影すべきカラー映像用のカラー映像光を合成するカラー映像光合成方法であって、
請求項１１または１２または１３記載のカラー映像光合成装置を用いて行うことを特徴とするカラー映像光合成方法。
【請求項１５】
カラー映像をスクリーン等の表示媒体上に投影する投影装置において、
白色光源と、カラー映像光合成装置と、このカラー映像光合成装置により合成されたカラー映像光を上記表示媒体上に結像させる結像光学系とを有し、
上記カラー映像光合成装置として、請求項１１〜１３の任意の１に記載のものを用いることを特徴とする投影装置。
【請求項１６】
請求項１５記載の投影装置において、
白色光源からの白色光の大半を直線偏光状態にする偏光化手段を有することを特徴とする投影装置。
【手続補正２】
【補正対象書類名】明細書
【補正対象項目名】００１３
【補正方法】変更
【補正の内容】
【００１３】
第１の偏光ビームスプリッタ１３１を透過したマゼンタ色光は、第２の色選択性リターダＣＰ２に入射する。第２の色選択性リターダＣＰ２は、マゼンタ色光のうち、赤色光に対してリターデーションを与える。従って、色選択性リターダＣＰ２を透過した赤色光は第３の偏光ビームスプリッタ１３３に対してＳ偏光として入射し、残りの青色光はＰ偏光として入射する。
【手続補正３】
【補正対象書類名】明細書
【補正対象項目名】００２５
【補正方法】変更
【補正の内容】
【００２５】
【課題を解決するための手段】
発明の説明に先立って、偏光型光分離素子について説明する。  
偏光型光路分離素子は、ライトバルブと偏光ビームスプリッタとを有する。
「ライトバルブ」は、偏光方向を変換する機能を有する反射型のものである。
【手続補正４】
【補正対象書類名】明細書
【補正対象項目名】００２７
【補正方法】変更
【補正の内容】
【００２７】
「偏光型光路分離素子」は、偏光ビームスプリッタのＰ偏光透過率をＴｐ、Ｓ偏光透過率をＴｓとするとき、Ｔｓ＞１−Ｔｐであり、照明光をＰ偏光として入射されることができる。
【手続補正５】
【補正対象書類名】明細書
【補正対象項目名】００２８
【補正方法】変更
【補正の内容】
【００２８】
「偏光型光路分離素子」はまた、偏光ビームスプリッタのＰ偏光透過率をＴｐ、Ｓ偏光透過率をＴｓとするとき、Ｔｓ＜１−Ｔｐであり、照明光をＳ偏光として入射されることができる。
【手続補正６】
【補正対象書類名】明細書
【補正対象項目名】００３３
【補正方法】変更
【補正の内容】
【００３３】
請求項１記載の色分離合成素子は、以下の点を特徴とする。
【手続補正７】
【補正対象書類名】明細書
【補正対象項目名】００３５
【補正方法】変更
【補正の内容】
【００３５】
請求項２記載の色分離合成素子は、以下の点を特徴とする。
【手続補正８】
【補正対象書類名】明細書
【補正対象項目名】００３７
【補正方法】変更
【補正の内容】
【００３７】
上記請求項１記載の色分離合成素子は、偏光ビームスプリッタにおける、第２の波長帯域のＰ偏光透過率をＴｐ２、Ｓ偏光透過率をＴｓ２とするとき、Ｔｓ２＜１−Ｔｐ２とすることができる（請求項３）。
【手続補正９】
【補正対象書類名】明細書
【補正対象項目名】００３８
【補正方法】変更
【補正の内容】
【００３８】
請求項４記載の色分離方法は、上記請求項１または２または３記載の色分離合成素子を用いて「互いに分離した第１および第２の波長帯域の光を含む直線偏光状態の光を、第１の波長領域の光と第２の波長帯域の光とに分離」する方法であって、以下の点を特徴とする。
【手続補正１０】
【補正対象書類名】明細書
【補正対象項目名】００４０
【補正方法】変更
【補正の内容】
【００４０】
請求項５記載の色合成方法は、上記請求項１または２または３記載の色分離合成素子を用いて「直線偏光状態で第１の波長帯域の光と、直線偏光状態で第２の波長帯域の光とを色合成」する方法であって、以下の点を特徴とする。
【手続補正１１】
【補正対象書類名】明細書
【補正対象項目名】００４２
【補正方法】変更
【補正の内容】
【００４２】
請求項６記載の色分離合成素子は、以下の点を特徴とする。即ち、偏光ビームスプリッタにおける、第１の波長帯域のＰ偏光透過率をＴｐ１、Ｓ偏光透過率をＴｓ１とするとき、Ｔｓ１＜１−Ｔｐ１であり、色分離のときはＰ偏光が色選択性リターダに入射され、色合成のときは、第１および第２の波長帯域の光がＰ偏光として合成される。
【手続補正１２】
【補正対象書類名】明細書
【補正対象項目名】００４３
【補正方法】変更
【補正の内容】
【００４３】
請求項７記載の色分離合成素子は、以下の点を特徴とする。
【手続補正１３】
【補正対象書類名】明細書
【補正対象項目名】００４５
【補正方法】変更
【補正の内容】
【００４５】
上記請求項６記載の色分離合成素子において、偏光ビームスプリッタにおける、第２の波長帯域のＰ偏光透過率をＴｐ２、Ｓ偏光透過率をＴｓ２とするとき、Ｔｓ２＞１−Ｔｐ２とすることができる（請求項８）。
【手続補正１４】
【補正対象書類名】明細書
【補正対象項目名】００４６
【補正方法】変更
【補正の内容】
【００４６】
請求項９記載の色分離方法は、上記請求項６または７または８記載の色分離合成素子を用いて「互いに分離した第１および第２の波長帯域の光を含む直線偏光状態の光を、第１の波長領域の光と第２の波長帯域の光とに分離」する方法であって、以下の点を特徴とする。即ち、色分離すべき直線偏光状態の光をＰ偏光として色選択性リターダに入射させ、偏光ビームスプリッタによりＳ偏光の光とＰ偏光の光とに分離する。
【手続補正１５】
【補正対象書類名】明細書
【補正対象項目名】００４７
【補正方法】変更
【補正の内容】
【００４７】
請求項１０記載の色合成方法は、上記請求項６または７または８記載の色分離合成素子を用いて「直線偏光状態で第１の波長帯域の光と、直線偏光状態で第２の波長帯域の光とを色合成」する方法であって、以下の点を特徴とする。即ち、色合成すべき光のうち、第１の波長帯域の光をＳ偏光として偏光ビームスプリッタに入射させ、第２の波長帯域の光をＰ偏光として偏光ビームスプリッタに入射させる。
【手続補正１６】
【補正対象書類名】明細書
【補正対象項目名】００５２
【補正方法】変更
【補正の内容】
【００５２】
請求項１１記載のカラー映像光合成装置は以下の点を特徴とする。即ち、色分離合成素子としては請求項３または４または５記載のものが用いられ、直線偏光状態の白色光が（偏光ビームスプリッタに対して）Ｓ偏光状態で色選択性リターダに入射される。
【手続補正１７】
【補正対象書類名】明細書
【補正対象項目名】００５４
【補正方法】変更
【補正の内容】
【００５４】
請求項１２記載のカラー映像光合成装置は、以下の点を特徴とする。即ち、色分離合成素子として請求項６または７または８記載のものが用いられ、直線偏光状態の白色光が（偏光ビームスプリッタに対して）Ｐ偏光状態で色選択性リターダに入射される。
【手続補正１８】
【補正対象書類名】明細書
【補正対象項目名】００５６
【補正方法】変更
【補正の内容】
【００５６】
上記請求項１１または１２記載のカラー映像光合成装置における「ダイクロイック膜を用いる色分離合成手段」は、ダイクロイック膜を有するプリズムであることができる（請求項１３）。
【手続補正１９】
【補正対象書類名】明細書
【補正対象項目名】００５７
【補正方法】変更
【補正の内容】
【００５７】
参考例として以下に説明するカラー映像光合成装置は、上記ライトバルブＬＡ、ＬＢ、ＬＣと、第１〜第３の色分離合成素子と、光路分離用偏光ビームスプリッタとを有する。
【手続補正２０】
【補正対象書類名】明細書
【補正対象項目名】００６２
【補正方法】変更
【補正の内容】
【００６２】
そして、ライトバルブＬＡと光路分離用偏光ビームスプリッタは、先に説明した偏光型光路分離素子を構成し、第２の色分離合成素子の偏光ビームスプリッタとライトバルブＬＢは先に説明した偏光型光路分離素子を、第２の色分離合成素子の偏光ビームスプリッタとライトバルブＬＣは先に説明した偏光型光路分離素子をそれぞれ構成する。
【手続補正２１】
【補正対象書類名】明細書
【補正対象項目名】００６３
【補正方法】変更
【補正の内容】
【００６３】
この発明のカラー映像光合成方法は「投影装置によりスクリーン等の表示媒体上に投影すべきカラー映像用のカラー映像光を合成」する方法である。請求項１４記載のカラー映像光合成方法は、請求項１１または１２または１３記載のカラー映像光合成装置を用いて行うことを特徴とする。
【手続補正２２】
【補正対象書類名】明細書
【補正対象項目名】００６４
【補正方法】変更
【補正の内容】
【００６４】
この発明の投影装置は「カラー映像をスクリーン等の表示媒体上に投影」する投影装置（プロジェクタ）であって、白色光源と、カラー映像光合成装置と、結像光学系とを有する（請求項１５）。
【手続補正２３】
【補正対象書類名】明細書
【補正対象項目名】００６５
【補正方法】変更
【補正の内容】
【００６５】
「白色光源」は、照明用の白色光を放射する。「カラー映像光合成装置」としては、上述した請求項１１〜１３の任意の１に記載のものが用いられる。「結像光学系」は、カラー映像光合成装置により合成されたカラー映像光を表示媒体上に拡大して投影し結像させる。
【手続補正２４】
【補正対象書類名】明細書
【補正対象項目名】００６６
【補正方法】変更
【補正の内容】
【００６６】
この請求項１５記載の投影装置は「白色光源からの白色光の大半を、直線偏光状態にする偏光化手段」を有することができる（請求項１６）。
【手続補正２５】
【補正対象書類名】明細書
【補正対象項目名】００６７
【補正方法】変更
【補正の内容】
【００６７】
【発明の実施の形態】
以下、発明の実施の形態を説明する。
図１は、先に説明した偏光型光路分離素子の形態を説明するための図である。
「偏光型光路分離素子」は、偏光方向を変換する機能を有する反射型のライトバルブ１０と、直線偏光の照明光を入射され、ライトバルブ１０に向って射出させる偏光ビームスプリッタ１２Ａとを有し、偏光ビームスプリッタ１２ＡのＰ偏光透過率をＴｐ、Ｓ偏光透過率をＴｓとするとき、Ｔｓ＞１−Ｔｐであり、照明光をＰ偏光として入射される。
【手続補正２６】
【補正対象書類名】明細書
【補正対象項目名】００７１
【補正方法】変更
【補正の内容】
【００７１】
上述の如く、偏光ビームスプリッタ１２ＡにおけるＰ偏光透過率：Ｔｐ、Ｓ偏光の透過率：Ｔｓの間には、Ｔｓ＞１−Ｔｐの関係がある。偏光型光路分離素子は、この関係に基づいて、偏光ビームスプリッタ１２Ａへ入射する照明光の偏光方向をＰ偏光としたものである。この点の技術的意義は以下の如くである。
【手続補正２７】
【補正対象書類名】明細書
【補正対象項目名】００８０
【補正方法】変更
【補正の内容】
【００８０】
図２は、先に説明した偏光型光路分離素子の別形態を説明するための図である。
「偏光型光路分離素子」は、偏光方向を変換する機能を有する反射型のライトバルブ１０と、直線偏光の照明光を入射され、ライトバルブ１０に向って射出させる偏光ビームスプリッタ１２Ｂとを有し、偏光ビームスプリッタ１２ＢのＰ偏光透過率をＴｐ、Ｓ偏光透過率をＴｓとするとき、Ｔｓ＜１−Ｔｐであり、照明光をＳ偏光として入射される。
【手続補正２８】
【補正対象書類名】明細書
【補正対象項目名】００８３
【補正方法】変更
【補正の内容】
【００８３】
図３は、請求項１１記載のカラー映像光合成装置を用いた投影装置の実施の１形態を示している。図３（ａ）において、符号ＬＡ、ＬＢ、ＬＣは「偏光方向を変換する機能を有する反射型のライトバルブ」、符号１２Ａは偏光ビームスプリッタ、符号３０は色選択性リターダ、符号４０は「色分離合成手段」としてのダイクロイック膜４１を有するプリズムを示す。また、符号５０は「結像光学系」としての投射レンズを示す。
【手続補正２９】
【補正対象書類名】明細書
【補正対象項目名】００８５
【補正方法】変更
【補正の内容】
【００８５】
図３（ａ）において、偏光ビームスプリッタ１２ＡとライトバルブＬＡとの組合せは、図１に即して説明した「偏光型光路分離素子」を構成する。また、偏光ビームスプリッタ１２ＡとライトバルブＬＡと色選択性リターダ３０との組合せは、請求項１〜３に記載された「色分離合成素子」を構成する。
【手続補正３０】
【補正対象書類名】明細書
【補正対象項目名】００９３
【補正方法】変更
【補正の内容】
【００９３】
偏光ビームスプリッタ１２Ａにおける偏光分離膜の分光透過率は、図３（ｂ）に示すように、Ｐ偏光に対して曲線３−１、Ｓ偏光に対して曲線３−２に示す如くである。即ち、第１の波長帯域（緑色波長帯域）である波長：５５０ｎｍ近傍の光に対しては、Ｐ偏光透過率：Ｔｐ１、Ｓ偏光透過率：Ｔｓ１は、Ｔｓ１＞１−Ｔｐ１（曲線３−３で示す）の関係を満たしている（請求項１）。
【手続補正３１】
【補正対象書類名】明細書
【補正対象項目名】００９４
【補正方法】変更
【補正の内容】
【００９４】
また、第２の波長帯域（マゼンタ色波長帯域）である「緑色波長帯域より短波長側および長波長側の帯域」に対しては、Ｐ偏光透過率：Ｔｐ２（曲線３−１）、Ｓ偏光透過率：Ｔｓ２（曲線３−２）の大小関係は、Ｔｓ２＜１−Ｔｐ２（曲線３−３）である（請求項２、３）。
【手続補正３２】
【補正対象書類名】明細書
【補正対象項目名】００９５
【補正方法】変更
【補正の内容】
【００９５】
即ち、色選択性リターダ３０と偏光ビームスプリッタ１２Ａとの構成する色分離合成素子は、請求項１、２、３に記載の色分離合成素子である。
従って、図３（ａ）に示すように、照明光（白色光）を色選択性リターダ３０に入射させることにより、「互いに分離した第１および第２の波長帯域の光を含む直線偏光状態の光（照明光）」を、第１の波長領域の光（緑色帯域光）と第２の波長帯域の光（マゼンタ色帯域光）とに分離する色分離方法であって、色分離すべき直線偏光状態の光をＳ偏光として色選択性リターダ３０に入射させ、偏光ビームスプリッタ１２Ａにより、Ｓ偏光の光（マゼンタ色帯域光）とＰ偏光の光（緑色帯域光）とに分離する色分離方法（請求項４）が実施されることになる。
【手続補正３３】
【補正対象書類名】明細書
【補正対象項目名】００９６
【補正方法】変更
【補正の内容】
【００９６】
逆に、マゼンタ色帯域光をＳ偏光として図３（ａ）の下方から偏光ビームスプリッタ１２Ａに入射させ、緑色帯域光をＰ偏光として偏光ビームスプリッタ１２Ａに図の右方から入射させれば、直線偏光状態で第１の波長帯域の光と、直線偏光状態で第２の波長帯域の光とを色合成する方法であって、色合成すべき光のうち、第１の波長帯域の光をＰ偏光として偏光ビームスプリッタに入射させ、第２の波長帯域の光をＳ偏光として偏光ビームスプリッタに入射させることにより、Ｓ偏光として合成する色合成方法（請求項５）が実施されることになる。
【手続補正３４】
【補正対象書類名】明細書
【補正対象項目名】０１０３
【補正方法】変更
【補正の内容】
【０１０３】
即ち、図３に実施の形態を示したカラー映像合成装置は、投影装置によりスクリーン等の表示媒体上に投影すべきカラー映像用のカラー映像光を合成するカラー映像光合成装置において、カラー映像を構成する３原色をＡ（緑）、Ｂ（赤）、Ｃ（青）とするとき、偏光方向を変換する機能を有しＡ色映像を表示する反射型のライトバルブＬＡと、偏光方向を変換する機能を有しＢ色映像を表示する反射型のライトバルブＬＢと、偏光方向を変換する機能を有しＣ色映像を表示する反射型のライトバルブＬＣと、直線偏光状態の白色光（照明光）をＳ偏光状態で色選択性リターダ３０に入射される色分離合成素子３０、１２Ａと、ダイクロイック膜４１を用いる色分離合成手段４０とを有し、色分離合成素子として請求項１または２または３記載のものを用い、第１の波長帯域を色：Ａを含む領域、第２の波長領域を色：ＢおよびＣを含む領域として、色分離合成素子により分離されたＡ色光をライトバルブＬＡでＡ色映像光とし、色分離合成素子により分離されたＢ色光、Ｃ色光を色分離合成手段４０により別個に分離してそれぞれライトバルブＬＢ、ＬＣによりＢ色映像光およびＣ色映像光とし、Ｂ色映像光およびＣ色映像光を色分離合成手段４０により合成した後、これらとＡ色映像光とを、色分離合成素子の偏光ビームスプリッタ１２Ａにより合成して射出させるように構成されたもの（請求項１１）である。
【手続補正３５】
【補正対象書類名】明細書
【補正対象項目名】０１０４
【補正方法】変更
【補正の内容】
【０１０４】
そして、図３のカラー映像光合成装置を用いることにより「投影装置によりスクリーン等の表示媒体上に投影すべきカラー映像用のカラー映像光を合成するカラー映像光合成方法（請求項１４）」を実施することができる。
【手続補正３６】
【補正対象書類名】明細書
【補正対象項目名】０１０５
【補正方法】変更
【補正の内容】
【０１０５】
また、上記のカラー映像光合成装置と投射レンズ５０との組合せは、カラー映像をスクリーン等の表示媒体上に投影する投影装置において、図示されない白色光源と、カラー映像光合成装置と、このカラー映像光合成装置により合成されたカラー映像光を表示媒体上に結像させる結像光学系５０とを有し、カラー映像光合成装置として請求項１１記載のものを用いるもの（請求項１５）である。
【手続補正３７】
【補正対象書類名】明細書
【補正対象項目名】０１１３
【補正方法】変更
【補正の内容】
【０１１３】
図４は、請求項１２記載のカラー映像光合成装置を用いた投影装置の実施の１形態を示している。図４（ａ）に示すライトバルブＬＡ、ＬＢ、ＬＣ、色選択性リターダ３０、プリズム４０および投射レンズ５０は何れも、図３の実施の形態に即して説明したのと同一のものであり、原色Ａは緑、Ｂは赤、Ｃは青である。
【手続補正３８】
【補正対象書類名】明細書
【補正対象項目名】０１１４
【補正方法】変更
【補正の内容】
【０１１４】
図４（ａ）において、偏光ビームスプリッタ１２ＢとライトバルブＬＡとの組合せは、図２に即して説明した「偏光型光路分離素子」を構成する。また、偏光ビームスプリッタ１２ＢとライトバルブＬＡと色選択性リターダ３０との組合せは、請求項６〜８に記載された「色分離合成素子」を構成する。
【手続補正３９】
【補正対象書類名】明細書
【補正対象項目名】０１２１
【補正方法】変更
【補正の内容】
【０１２１】
偏光ビームスプリッタ１２Ａにおける偏光分離膜の分光透過率は、図４（ｂ）に示すように、Ｐ偏光に対して曲線３−１、Ｓ偏光に対して曲線４−２に示す如くであり、第１の波長帯域（緑色波長帯域）である波長：５５０ｎｍ近傍の光に対しては、Ｐ偏光透過率：Ｔｐ１、Ｓ偏光透過率：Ｔｓ１は、Ｔｓ１＜１−Ｔｐ１（曲線４−３で示す）の関係を満たしている（請求項６）。
【手続補正４０】
【補正対象書類名】明細書
【補正対象項目名】０１２２
【補正方法】変更
【補正の内容】
【０１２２】
また、第２の波長帯域（マゼンタ色波長帯域）である「緑色波長帯域より短波長側および長波長側の帯域」に対しては、Ｐ偏光透過率：Ｔｐ２（曲線４−１）、Ｓ偏光透過率：Ｔｓ２（曲線４−２）の大小関係は、Ｔｓ２＞１−Ｔｐ２（曲線４−３）である（請求項７、８）。
【手続補正４１】
【補正対象書類名】明細書
【補正対象項目名】０１２３
【補正方法】変更
【補正の内容】
【０１２３】
従って、色選択性リターダ３０と偏光ビームスプリッタ１２Ｂとの構成する色分離合成素子は、請求項８、９、１０に記載された色分離合成素子である。
図４（ａ）に示すように、照明光（白色光）を色選択性リターダ３０に入射させることにより「互いに分離した第１および第２の波長帯域の光を含む直線偏光状態の光（照明光）」を、第１の波長領域の光（緑色帯域光）と第２の波長帯域の光（マゼンタ色帯域光）とに分離する色分離方法であって、色分離すべき直線偏光状態の光をＰ偏光として色選択性リターダ３０に入射させ、偏光ビームスプリッタ１２Ｂにより、Ｓ偏光の光（緑色帯域光）とＰ偏光の光（マゼンタ色帯域光）とに分離する色分離方法（請求項９）が実施される。
【手続補正４２】
【補正対象書類名】明細書
【補正対象項目名】０１２４
【補正方法】変更
【補正の内容】
【０１２４】
逆に、マゼンタ色帯域光をＰ偏光として図４（ａ）の右方から偏光ビームスプリッタ１３Ａに入射させ、緑色帯域光をＳ偏光として偏光ビームスプリッタ１２Ｂに図の下方から入射させれば、直線偏光状態で第１の波長帯域の光と、直線偏光状態で第２の波長帯域の光とを色合成する方法であって、色合成すべき光のうち、第１の波長帯域の光をＳ偏光として偏光ビームスプリッタに入射させ、第２の波長帯域の光をＰ偏光として偏光ビームスプリッタに入射させることにより、Ｐ偏光として合成する色合成方法（請求項１０）が実施されることになる。
【手続補正４３】
【補正対象書類名】明細書
【補正対象項目名】０１２６
【補正方法】変更
【補正の内容】
【０１２６】
偏光ビームスプリッタ１２ＢとライトバルブＬＡとの組合せは「先に説明した偏光型光路分離素子」を構成し、緑色帯域光である照明光はＳ偏光として偏光ビームスプリッタ１２Ｂに入射される。従って、ライトバルブＬＡにより生成された緑色映像光は、白表示光量と黒表示光量との比（コントラスト）が大きい。
【手続補正４４】
【補正対象書類名】明細書
【補正対象項目名】０１２７
【補正方法】変更
【補正の内容】
【０１２７】
偏光ビームスプリッタ１２ＢとライトバルブＬＢ、ＬＣとの組合せは上記「偏光型光路分離素子」を構成し、マゼンタ色帯域光である照明光はＰ偏光として偏光ビームスプリッタ１２Ｂに入射するので、ライトバルブＬＢ、ＬＣにより生成されたマゼンタ色映像光は、白表示光量と黒表示光量との比（コントラスト）が大きい。従って、全体としてコントラストの高いカラー映像を投影表示できる。
【手続補正４５】
【補正対象書類名】明細書
【補正対象項目名】０１２８
【補正方法】変更
【補正の内容】
【０１２８】
即ち、図４に実施の形態を示したカラー映像合成装置は、投影装置によりスクリーン等の表示媒体上に投影すべきカラー映像用のカラー映像光を合成するカラー映像光合成装置において、カラー映像を構成する３原色をＡ（緑）、Ｂ（赤）、Ｃ（青）とするとき、偏光方向を変換する機能を有しＡ色映像を表示する反射型のライトバルブＬＡと、偏光方向を変換する機能を有しＢ色映像を表示する反射型のライトバルブＬＢと、偏光方向を変換する機能を有しＣ色映像を表示する反射型のライトバルブＬＣと、直線偏光状態の白色光（照明光）をＳ偏光状態で色選択性リターダ３０に入射される色分離合成素子３０、１２Ｂと、ダイクロイック膜４１を用いる色分離合成手段４０とを有し、色分離合成素子として請求項６または７または８記載のものを用い、第１の波長帯域を色：Ａを含む領域、第２の波長領域を色：ＢおよびＣを含む領域として、色分離合成素子により分離されたＡ色光をライトバルブＬＡでＡ色映像光とし、色分離合成素子により分離されたＢ色光、Ｃ色光を色分離合成手段４０により別個に分離してそれぞれライトバルブＬＢ、ＬＣによりＢ色映像光およびＣ色映像光とし、Ｂ色映像光およびＣ色映像光を色分離合成手段４０により合成した後、これらとＡ色映像光とを、色分離合成素子の偏光ビームスプリッタ１２Ｂにより合成して射出させるように構成されたもの（請求項１２）である。
【手続補正４６】
【補正対象書類名】明細書
【補正対象項目名】０１２９
【補正方法】変更
【補正の内容】
【０１２９】
そして、図４のカラー映像光合成装置を用いることにより、投影装置によりスクリーン等の表示媒体上に投影すべきカラー映像用のカラー映像光を合成するカラー映像光合成方法を実施することができ、上記のカラー映像光合成装置と投射レンズ５０と、図示されない白色光源との組合せは、カラー映像をスクリーン等の表示媒体上に投影する投影装置であって、図示されない白色光源と、カラー映像光合成装置と、このカラー映像光合成装置により合成されたカラー映像光を表示媒体上に結像させる結像光学系５０とを有し、カラー映像光合成装置として請求項１１記載のものを用いるもの（請求項１５）である。
【手続補正４７】
【補正対象書類名】明細書
【補正対象項目名】０１３２
【補正方法】変更
【補正の内容】
【０１３２】
図３、図４の実施の形態において用いられている「ダイクロイック膜を用いる色分離合成手段」は、ダイクロイック膜４１を有するプリズム４０である（請求項１３）。
【手続補正４８】
【補正対象書類名】明細書
【補正対象項目名】０１３９
【補正方法】変更
【補正の内容】
【０１３９】
偏光ビームスプリッタ１２ＣとライトバルブＬＢ、ＬＣとが偏光型光路分離素子を構成し、偏光ビームスプリッタ１２ＣとライトバルブＬＡとが他の偏光型光路分離素子を構成する。従って、色選択性リターダ３１と偏光ビームスプリッタ１２Ｃと、ライトバルブＬＡ、ＬＢ、ＬＣと、プリズム４０Ａとの組合せが、請求項１２、１３記載のカラー映像光合成装置を構成し、このカラー映像光合成装置により、請求項１７記載のカラー映像光合成方法が実施される。
【手続補正４９】
【補正対象書類名】明細書
【補正対象項目名】０１４０
【補正方法】変更
【補正の内容】
【０１４０】
また、図６のカラー映像光合成装置と、結像光学系としての投射レンズ５０と、図示されない白色光源とは請求項１５記載の投影装置を構成する。
【手続補正５０】
【補正対象書類名】明細書
【補正対象項目名】０１４１
【補正方法】変更
【補正の内容】
【０１４１】
図８は、カラー映像光合成装置を用いる投影装置の１形態を示している。
【手続補正５１】
【補正対象書類名】明細書
【補正対象項目名】０１４２
【補正方法】変更
【補正の内容】
【０１４２】
この形態におけるからー映像光合成装置は「投影装置によりスクリーン等の表示媒体上に投影すべきカラー映像用のカラー映像光を合成するもの」であって、カラー映像を構成する３原色をＡ（緑）、Ｂ（赤）、Ｃ（青）とするとき、偏光方向を変換する機能を有しＡ色映像を表示する反射型のライトバルブＬＡと、偏光方向を変換する機能を有しＢ色映像を表示する反射型のライトバルブＬＢと、偏光方向を変換する機能を有しＣ色映像を表示する反射型のライトバルブＬＣと、第１の波長帯域を色：Ａを含む領域、第２の波長領域を色：ＢおよびＣを含む領域として、Ａ色光と、ＢおよびＣ色光とを分離する第１の色分離合成素子３０、１２１と、分離されたＡ色光をライトバルブＬＡへ導光する光路分離用偏光ビームスプリッタ１２２と、第１の波長帯域をＢ色光、第２の波長帯域をＣ色光として、これらＢ色光、Ｃ色光を分離して、ライトバルブＬＢ、ＬＣへそれぞれ導光し、これらライトバルブＬＢ、ＬＣによるＢ色映像光、Ｃ色映像光を合成する第２の色分離合成素子３２、１２３と、この第２の色分離合成素子により合成されたＢ色映像光、Ｃ色映像光の偏光方向を揃えると共に、ライトバルブＬＡによるＡ色映像光を偏光ビームスプリッタ１２２を介して入射され、Ｂ色映像光、Ｃ色映像光と合成して射出させる第３の色分離合成素子３３、１２４とを有する。
【手続補正５２】
【補正対象書類名】明細書
【補正対象項目名】０１４３
【補正方法】変更
【補正の内容】
【０１４３】
第１〜第３の色分離合成素子は、上記の如く色選択性リターダと偏光ビームスプリッタとで構成される。ライトバルブＬＡと光路分離用偏光ビームスプリッタ１２２は上記他の請求項２記載の偏光型光路分離素子を構成し、第２の色分離合成素子の偏光ビームスプリッタ１２３とライトバルブＬＢは上記偏光型光路分離素子を構成し、第２の色分離合成素子の偏光ビームスプリッタ１２３とライトバルブＬＣは上記偏光型光路分離素子を構成する。
【手続補正５３】
【補正対象書類名】明細書
【補正対象項目名】０１４９
【補正方法】変更
【補正の内容】
【０１４９】
なお、偏光ビームスプリッタ１２３の透過率：Ｔｐ、Ｔｓを、赤色帯域光と青色帯域光とで、Ｔｓと１−Ｔｐの大小関係が逆になるように偏光分離膜設計を行うことにより、偏光ビームスプリッタ１２３とライトバルブＬＢ、ＬＣとの組合せに応じて、上記偏光型光路分離素子を構成できる。
【手続補正５４】
【補正対象書類名】明細書
【補正対象項目名】０１５１
【補正方法】変更
【補正の内容】
【０１５１】
従って、図８のカラー映像光合成装置を用いて、カラー映像光合成方法が実施され、また、図８のカラー映像光合成装置と、図示されない白色光源と投射レンズ５０とにより、投影装置が構成される。
【手続補正５５】
【補正対象書類名】明細書
【補正対象項目名】０１５５
【補正方法】変更
【補正の内容】
【０１５５】
そこで、上記請求項１９記載の投影装置は「白色光源からの白色光の大半を、直線偏光状態にする偏光化手段」を有することが好ましい（請求項１６）。
【手続補正５６】
【補正対象書類名】明細書
【補正対象項目名】０１６３
【補正方法】変更
【補正の内容】
【０１６３】
上記偏光型光路分離素子は、ライトバルブによる映像光を、表示に用いられる部分と、それ以外の部分を別光路に効率良く分離することができ、かかる素子を色分離合成素子に組み込んで投影装置に用いることにより、表示映像のコントラスト低下を有効に軽減して明るく見やすい映像を表示することができる。
【手続補正５７】
【補正対象書類名】明細書
【補正対象項目名】０１６５
【補正方法】変更
【補正の内容】
【０１６５】
また、波長選択性リターダにより偏光方向を変えない第２の波長帯域のコントラスト向上が要求される場合も、請求項２、３、４、８記載の色分離合成素子のように第２の波長帯域のＰ偏光透過率：Ｔｐ２、Ｓ偏光透過率：Ｔｓ２による「Ｔｓ２と１−Ｔｐ２の大小関係」を設定すればよく、偏光ビームスプリッタ設計の負担が軽減され、製造誤差などが小さくなり生産性が向上する。
【手続補正５８】
【補正対象書類名】明細書
【補正対象項目名】図面の簡単な説明
【補正方法】変更
【補正の内容】
【図面の簡単な説明】
【図１】偏光型光路分離素子を説明するための図である。
【図２】偏光型光路分離素子の別例を説明するための図である。
【図３】カラー映像光合成装置とこれを用いた投影装置の実施の１形態を説明するための図である。
【図４】カラー映像光合成装置とこれを用いた投影装置の実施の別形態を説明するための図である。
【図５】カラー映像光合成装置とこれを用いた投影装置の実施の他の形態を説明するための図である。
【図６】カラー映像光合成装置とこれを用いた投影装置の実施の他の形態を説明するための図である。
【図７】図６の実施の形態において用いられた偏光ビームスプリッタの分光透過率特性を説明するための図である。
【図８】カラー映像光合成装置とこれを用いた投影装置の１形態を説明するための図である。
【図９】請求項１６記載の発明で用いられる偏光化手段の実施の１例を説明するための図である。
【図１０】従来技術を説明するための図である。
【符号の説明】
１０      偏光方向を変換する機能を有する反射型のライトバルブ
１２Ａ    偏光ビームスプリッタ